(57)【特許請求の範囲】
【請求項１】
鋼材がロ字状に組立てられて立設状態に配置されたかご枠と、このかご枠の下梁の上に水平に配置されたかご床支持枠と、下面の縁部が上記かご床支持枠に支持されて水平に配置されたかご床と、一端が上記かご枠の縦柱の上方寄りに締結され、他端は上記縦柱から離れた位置において上記かご床支持枠の側面に重合して配置された控え棒と、上記かご床支持枠の側面に設けられた第１の溝穴及び控え棒に設けられた第１の貫通孔に挿通されて上記かご床支持枠及び上記控え棒の両者を締結した第１の締結具と、上記かご床支持枠及びかご床の対向部に介装されて上記かご床の傾きを補正する挟み板と、上記控え棒と上記かご床支持枠の両者の間に形成されて、上記両者間の摺動による相対変位を減少する高摺動抵抗手段とを備え、上記第１の締結具は、上記控え棒の上記第１の貫通孔と上記かご床支持枠の上記第１の溝穴とに対応した大径部を有する段付きボルトからなり、上記高摺動抵抗手段は、上記控え棒と上記かご床支持枠の両者の重合面に介装され、上記かご床支持枠に沿った方向の上記控え棒側の一側に上記第１の締結具の上記大径部に対応する第２の貫通孔が設けられ、上記かご床支持枠に沿った方向の他側に第２の溝穴が設けられた板状材からなるとともに、上記一側で、上記控え棒の上記第１の貫通孔と上記板状体の上記第２の貫通孔と上記かご床支持枠の上記第１の溝穴とに挿通された上記第１の締結具により締結され、上記他側で、上記板状体の上記第２の溝穴と上記かご床支持枠とに挿通された第２の締結具により締結されたことを特徴とするエレベーターかご装置。
【請求項２】
高摺動抵抗手段を、控え棒とかご床支持枠の両者の重合面の少なくとも一方に形成された突歯からなるものとしたことを特徴とする請求項１記載のエレベーターかご装置。
【請求項３】
高摺動抵抗手段を、控え棒とかご床支持枠の両者の重合面の少なくとも一方に形成されて高摩擦係数の表面を有する塗料層からなるものとしたことを特徴とする請求項１記載のエレベーターかご装置。
【請求項４】
高摺動抵抗手段を、控え棒とかご床支持枠の両者の重合面に介装されて、板面に突歯を有する金属板からなるものとしたことを特徴とする請求項１記載のエレベーターかご装置。
【請求項５】
高摺動抵抗手段を、控え棒とかご床支持枠の両者の重合面に介装されて、高摩擦係数の表面を有する塗料層が形成された板状材からなるものとしたことを特徴とする請求項１記載のエレベーターかご装置。
【発明の詳細な説明】
【０００１】
【発明の属する技術分野】
この発明は、立設状態のかご枠内に配置されたかご床を、かご枠の下部部材によって支持したエレベーターかご装置に関する。
【０００２】
【従来の技術】
図９及び図１０は、例えば特開平６−８０３５５号公報に示された従来のエレベーターかご装置に類似した構成を示す図で、図９は側面図、図１０は図９のＡ−Ａ線断面拡大図である。図において、１はかご枠で、鋼材がロ字状に組立てられて立設状態に配置されて、下梁２、縦柱３が設けられている。
【０００３】
４は下梁２の上に設けられて水平に配置されたかご床支持枠、５は防振ゴム６を介してかご床支持枠４に下面の縁部が支持されて水平に配置されたかご床、７は控え棒で、上端がかご枠１の縦柱３の上方寄りに締結された平鋼８及び平鋼８の下端に溶接された棒ねじ９によって構成されている。
【０００４】
１０は締結金具で、かご床支持枠４の側面におけるかご枠１の縦柱３から離れた位置に配置され、控え棒７の棒ねじ９が挿通される筒体１１、筒体１１の側面に立設されて突出しかご床支持枠４の側面に設けられた取付孔に挿通されたねじ部１２によって構成されている。１３は締結金具１０のねじ部１２の挿通端にねじ込まれたナット、１４は締結金具１０の筒体１１に挿通された控え棒７の棒ねじ９の挿通端にねじ込まれた調整ナットである。
【０００５】
従来のエレベーターかご装置は上記のように構成され、かご枠１の下梁２にかご床支持枠４が支持される。そして、かご床支持枠４に防振ゴム６を介してかご床５の下面縁部が支持される。また、かご枠１の縦柱３の上端寄りとかご床支持枠４の間に控え棒７が設けられる。そして、締結金具１０に挿通された控え棒７の棒ねじ９にねじ込まれた調整ナット１４が適宜に締め込まれて、かご床５の水平面に対する傾きを補正するようになっている。
【０００６】
【発明が解決しようとする課題】
上記のような従来のエレベーターかご装置では、かご床５の水平度調整時に控え棒７の棒ねじ９の調整ナット１４を回動するために、スパナーを水平面において回動する作業が必要となる。このため、かご床支持枠４側面にエレベーター昇降路（図示しない）の壁面が接近して配置される場合には、調整ナット１４の回動が容易でなくかご床５の水平度調整に長時間を要するという問題点があった。また、かご床支持枠４側面に対する控え棒７の装着のために締結金具１０を要するので製作費が嵩むという問題点があった。
【０００７】
この発明は、かかる問題点を解消するためになされたものであり、簡易な構成であって容易にかご床の傾きを補正できるエレベーターかご装置を得ることを目的とする。
【０００８】
【課題を解決するための手段】
この発明に係るエレベーターかご装置においては、鋼材がロ字状に組立てられて立設状態に配置されたかご枠と、このかご枠の下梁の上に水平に配置されたかご床支持枠と、下面の縁部がかご床支持枠に支持されて水平に配置されたかご床と、一端がかご枠の縦柱の上方寄りに締結され、他端は縦柱から離れた位置においてかご床支持枠の側面に重合して配置された控え棒と、かご床支持枠の側面に設けられた第１の溝穴及び控え棒に設けられた第１の貫通孔に挿通されてかご床支持枠及び控え棒の両者を締結した第１の締結具と、かご床支持枠及びかご床の対向部に介装されてかご床の傾きを補正する挟み板と、控え棒とかご床支持枠の両者の間に形成されて、上記両者間の摺動による相対変位を減少する高摺動抵抗手段とが設けられ、第１の締結具は、控え棒の第１の貫通孔とかご床支持枠の第１の溝穴とに対応した大径部を有する段付きボルトからなり、高摺動抵抗手段は、控え棒とかご床支持枠の両者の重合面に介装され、かご床支持枠に沿った方向の控え棒側の一側に第１の締結具の大径部に対応する第２の貫通孔が設けられ、かご床支持枠に沿った方向の他側に第２の溝穴が設けられた板状材からなるとともに、上記一側で、控え棒の第１の貫通孔と板状体の第２の貫通孔とかご床支持枠の第１の溝穴とに挿通された第１の締結具により締結され、上記他側で、板状体の第２の溝穴とかご床支持枠とに挿通された第２の締結具により締結される。
【００１０】
また、この発明に係るエレベーターかご装置においては、控え棒とかご床支持枠の両者の重合面の少なくとも一方に形成された突歯からなる高摺動抵抗手段が設けられる。
【００１１】
また、この発明に係るエレベーターかご装置においては、控え棒とかご床支持枠の両者の重合面の少なくとも一方に形成されて高摩擦係数の表面を有する塗料層からなる高摺動抵抗手段が設けられる。
【００１３】
また、この発明に係るエレベーターかご装置においては、控え棒とかご床支持枠の両者の重合面に介装された板状材からなり、板面に突歯を有する金属板からなる高摺動抵抗手段が設けられる。
【００１４】
また、この発明に係るエレベーターかご装置においては、控え棒とかご床支持枠の両者の重合面に介装されて、高摩擦係数の表面を有する塗料層が形成された板状材からなる高摺動抵抗手段が設けられる。
【００１６】
【発明の実施の形態】
実施の形態１．
図１〜図３は、この発明の実施の形態の一例を示す図で、図１は側面図、図２は図１のＢ部拡大図、図３は図２のＣ−Ｃ線断面拡大図である。図において、１はかご枠で、鋼材がロ字状に組立てられて立設状態に配置され下梁２、縦柱３が設けられている。４は下梁２の上に設けられて水平に配置されたかご床支持枠、６は防振ゴムからなる間隔片で、かご床支持枠４の上面に互いに離れて配置されている。
【００１７】
５は間隔片６を介してかご床支持枠４に下面の縁部が支持されて水平に配置されたかご床、１５は控え棒で、一端がかご枠１の縦柱３の上方寄りに配置され、他端は縦柱３から離れた位置においてかご床支持枠４の側面に重合して配置される。１６はかご枠１の縦柱３の上方寄りに装着されて控え棒１５の端部が重合して配置されたブラケット、１７は上部締結具で、控え棒１５及びブラケット１６に挿通されたボルト及びこのボルトの挿通端にねじ込まれたナットによって形成されている。
【００１８】
１８はかご床支持枠４の側面に設けられて縦柱３から離れた位置に配置され、長手が水平に配置された溝穴、１９は締結具で、控え棒１５及びかご床支持枠４の溝穴１８に挿通されたボルト及びこのボルトの挿通端にねじ込まれたナットによって形成されている。２０は挟み板で、かご床支持枠４の上面と間隔片６の下面との間、すなわちかご床支持枠４及びかご床５の対向部に介装されてかご床５の傾きを補正する。
【００１９】
上記のように構成されたエレベーターかご装置において、かご枠１の下梁２にかご床支持枠４が支持される。そして、かご床支持枠４に間隔片６を介してかご床５が支持される。また、かご枠１の縦柱３の上端寄りと、かご床支持枠４の間に控え棒１５が設けられる。そして、かご床支持枠４の上面と間隔片６の下面との間、すなわちかご床支持枠４及びかご床５の対向部に、適宜な厚さの挟み板２０が介装されてかご床５の傾きが補正される。
【００２０】
そして、かご床５の水平度調整時に挟み板２０が、かご床５の下面における中央部方向からかご床支持枠４及びかご床５の対向部に挿入されて装着される。このため、かご床支持枠４側面にエレベーター昇降路（図示しない）の壁面が接近して配置された場合であっても、挟み板２０を容易に挿入することができる。したがって、簡易な作業によってかご床５の水平面に対する傾きを補正することができて、エレベーターの据付作業能率を向上することができる。
【００２１】
また、控え棒１５をかご床支持枠４側面に装着するために、前述の締結金具１０を要しないので製作費を低減することができる。
なお、かご枠１の縦柱３に装着されるブラケット１６の位置、かご床支持枠４、控え棒１５の長さ等の製作誤差を吸収するために、かご床支持枠４の側面に溝穴１８が設けられ、この溝穴１８を介して締結具１９によりかご床支持枠４と控え棒１５が締結される。
【００２２】
実施の形態２．
前述の図１〜図３の実施の形態を応用して容易に次に述べるようにエレベーターかご装置を構成することができる。すなわち、控え棒１５とかご床支持枠４側面の両者の重合面の少なくとも一方に、すなわち上記両者の対向面の間に高摺動抵抗手段を形成する。これによって、上記両者間の摺動による相対変位を少なくすることができる。
【００２３】
したがって、比較的に小径の締結具１９によって上記両者を締結して、かご床支持枠４に作用する荷重を支持することができ、エレベーターかご装置を軽量化でき製作費を低減することができる。なお、高摺動抵抗手段の形成手段としては、上記両者における重合面に多数の突歯を設けたり、高摩擦係数の表面を形成する塗装を施したりすることによって目的を達成することができる。
【００２４】
実施の形態３．
図４は、この発明の他の実施の形態の一例を示す図で、前述の図３相当図である。なお、図４の他は前述の図１〜図３の実施の形態と同様にエレベーターかご装置が構成されている。図において、図１〜図３と同符号は相当部分を示し、２１は段付きボルトからなる締結具で、控え棒１５の貫通孔とかご床支持枠４の溝穴１８に対応した大径部２２が設けられている。
【００２５】
上記のように構成されたエレベーターかご装置においても、かご床支持枠４及びかご床５の対向部に適宜な厚さの挟み板２０が介装される。したがって、詳細な説明を省略するが図４の実施の形態においても図１〜図３の実施の形態と同様な作用が得られる。
【００２６】
また，図４の実施の形態において、控え棒１５に作用する鉛直方向の荷重が締結具２１の大径部２２の剪断応力によって支持され、控え棒１５に作用する水平方向の荷重は締結具２１の締結による摩擦保持力によって支持される。このため、簡易な構成によって控え棒１５に作用する一層大きい荷重に対応することができる。
【００２７】
実施の形態４．
図５及び図６も、この発明の他の実施の形態の一例を示す図であり、図５は前述の図２相当図、図６は図５のＤ−Ｄ線断面図である。なお、図５及び図６の他は前述の図１〜図３の実施の形態と同様にエレベーターかご装置が構成されている。
図において、図１〜図３と同符号は相当部分を示し、２３は控え棒１５とかご床支持枠４側面の両者の重合面に介装された板状材からなる高摺動抵抗手段である。
【００２８】
上記のように構成されたエレベーターかご装置においても、かご床支持枠４及びかご床５の対向部に適宜な厚さの挟み板２０が介装される。したがって、詳細な説明を省略するが図５及び図６の実施の形態においても図１〜図３の実施の形態と同様な作用が得られる。
【００２９】
また、図５及び図６の実施の形態において、高摺動抵抗手段２３によって上記両者間の摺動による相対変位を少なくすることができる。すなわち、比較的に小径の締結具１９によって上記両者を締結して、かご床支持枠４に作用する荷重を支持することができ、エレベーターかご装置を軽量化でき製作費を低減することができる。
【００３０】
なお、高摺動抵抗手段２３は金属板の少なくとも一面に多数の突歯を設けたり、また高摩擦係数の粘弾性板材を使用したり、また高摩擦係数の表面を形成する塗装を施したりすることによって目的を達成することができる。
また、図５及び図６の実施の形態において、締結具１９を前述の大径部２２を有する締結具２１に置き換えることによって、前述の図４の実施の形態における作用を得ることができる。
【００３１】
実施の形態５．
図７及び図８も、この発明の他の実施の形態の一例を示す図で、図７は前述の図２相当図、図８は図７のＥ−Ｅ線断面図である。なお、図７及び図８の他は前述の図１〜図３の実施の形態と同様にエレベーターかご装置が構成されている。図において、図１〜図３、図４と同符号は相当部分を示す。
【００３２】
２４は高摺動抵抗手段で、金属板の両面に多数の突歯を設けて形成されて控え棒１５とかご床支持枠４側面の両者の重合面に介装され、一側には前述の締結具２１の大径部２２に対応する貫通孔２５が設けられ、他側には前述の溝穴１８に相当する溝穴２６が設けられている。
【００３３】
上記のように構成されたエレベーターかご装置においても、かご床支持枠４及びかご床５の対向部に適宜な厚さの挟み板２０が介装される。したがって、詳細な説明を省略するが図７及び図８の実施の形態においても図１〜図３の実施の形態及び図４の実施の形態と同様な作用が得られる。
【００３４】
また、図７及び図８の実施の形態において、高摺動抵抗手段２４によって上記両者間の相対変位を少なくすることができる。すなわち、比較的に小径の締結具２１によって上記両者を締結して、かご床支持枠４に作用する荷重を支持することができる。このため、エレベーターかご装置を軽量化でき製作費を低減することができる。
【００３５】
また、高摺動抵抗手段２４が溝穴２６及びかご床支持枠４側面に挿通された締結具１９によってかご床支持枠４に締結される。このため、控え棒１５に作用する水平方向の荷重が締結具１９及び締結具２１の締結による摩擦保持力によって支持される。したがって、控え棒１５に作用する一層大きい荷重に対応することができる。
【００３６】
【発明の効果】
この発明は以上説明したように、鋼材がロ字状に組立てられて立設状態に配置されたかご枠と、このかご枠の下梁の上に水平に配置されたかご床支持枠と、下面の縁部がかご床支持枠に支持されて水平に配置されたかご床と、一端がかご枠の縦柱の上方寄りに締結され、他端は縦柱から離れた位置においてかご床支持枠の側面に重合して配置された控え棒と、かご床支持枠の側面に設けられた第１の溝穴及び控え棒に設けられた第１の貫通孔に挿通されてかご床支持枠及び控え棒の両者を締結した第１の締結具と、かご床支持枠及びかご床の対向部に介装されてかご床の傾きを補正する挟み板と、控え棒とかご床支持枠の両者の間に形成されて、上記両者間の摺動による相対変位を減少する高摺動抵抗手段とを設け、第１の締結具は、控え棒の第１の貫通孔とかご床支持枠の第１の溝穴とに対応した大径部を有する段付きボルトからなり、高摺動抵抗手段は、控え棒とかご床支持枠の両者の重合面に介装され、かご床支持枠に沿った方向の控え棒側の一側に第１の締結具の大径部に対応する第２の貫通孔が設けられ、かご床支持枠に沿った方向の他側に第２の溝穴が設けられた板状材からなるとともに、上記一側で、控え棒の第１の貫通孔と板状体の第２の貫通孔とかご床支持枠の第１の溝穴とに挿通された第１の締結具により締結され、上記他側で、板状体の第２の溝穴とかご床支持枠とに挿通された第２の締結具により締結されたものである。
【００３７】
これによって、かご床の水平度調整時に挟み板が、かご床の下面における中央部方向からかご床支持枠及びかご床の対向部に挿入されて装着される。このため、かご床支持枠側面にエレベーター昇降路の壁面が接近して配置された場合であっても、挟み板を容易に挿入することができる。したがって、簡易な作業によってかご床の水平面に対する傾きを補正することができて、エレベーターの据付作業能率を向上する効果がある。また、簡易な締結具によって控え棒がかご床支持枠側面に締結されるので製作費を低減することができる。また、控え棒とかご床支持枠の両者間の摺動による相対変位を、板状材からなり一側が上記両者に共締めされ、他側がかご床支持枠に締結された高摺動抵抗手段によって少なくすることができる。したがって、比較的に小径の締結具によって上記両者を締結して、かご床支持枠による荷重に異常なく対応することができる。このため、エレベーターかご装置を軽量化でき製作費を低減することができる。
【００４０】
また、この発明は以上説明したように、控え棒及びかご床支持枠の両者の重合面の少なくとも一方に形成された突歯からなる高摺動抵抗手段を設けたものである。
【００４１】
これによって、上記両者間の摺動による相対変位を突歯からなる高摺動抵抗手段によって少なくすることができる。したがって、比較的に小径の締結具によって上記両者を締結して、かご床支持枠による荷重に異常なく対応することができる。このため、エレベーターかご装置を軽量化でき製作費を低減することができる。
【００４２】
また、この発明は以上説明したように、控え棒とかご床支持枠の両者の重合面の少なくとも一方に形成されて高摩擦係数の表面を有する塗料層からなる高摺動抵抗手段を設けたものである。
【００４３】
これによって、上記両者間の摺動による相対変位を塗料層からなる高摺動抵抗手段によって少なくすることができる。したがって、比較的に小径の締結具によって上記両者を締結して、かご床支持枠による荷重に異常なく対応することができる。このため、エレベーターかご装置を軽量化でき製作費を低減することができる。
【００４６】
また、この発明は以上説明したように、控え棒とかご床支持枠の両者の重合面に介装されて、板面に突歯を有する金属板からなる高摺動抵抗手段を設けたものである。
【００４７】
これによって、上記両者間の摺動による相対変位を板面に突歯を有する金属板からなる高摺動抵抗手段によって少なくすることができる。したがって、比較的に小径の締結具によって上記両者を締結して、かご床支持枠による荷重に異常なく対応することができる。このため、エレベーターかご装置を軽量化でき製作費を低減することができる。
【００４８】
また、この発明は以上説明したように、控え棒とかご床支持枠の両者の重合面に介装されて、高摩擦係数の表面を有する塗料層が形成された板状材からなる高摺動抵抗手段を設けたものである。
【００４９】
これによって、上記両者間の摺動による相対変位を高摩擦係数の表面を有する塗料層が形成された板状材からなる高摺動抵抗手段によって少なくすることができる。したがって、比較的に小径の締結具によって上記両者を締結して、かご床支持枠による荷重に異常なく対応することができる。このため、エレベーターかご装置を軽量化でき製作費を低減することができる。
【図面の簡単な説明】
【図１】  この発明の実施の形態１を示す側面図。
【図２】  図１のＢ部拡大図。
【図３】  図２のＣ−Ｃ線断面拡大図。
【図４】  この発明の実施の形態３を示す図で、前述の図３相当図。
【図５】  この発明の実施の形態４を示す図で、前述の図２相当図。
【図６】  図５のＤ−Ｄ線断面図。
【図７】  この発明の実施の形態５を示す図で、前述の図２相当図。
【図８】  図７のＥ−Ｅ線断面図。
【図９】  従来のエレベーターかご装置を示す側面図。
【図１０】  図９のＡ−Ａ線断面拡大図。
【符号の説明】
１  かご枠、２  下梁、３  縦柱、４  かご床支持枠、５  かご床、１５  控え棒、１９  締結具、２０  挟み板、２３  高摺動抵抗手段、２４  高摺動抵抗手段。
【図１】
0004698805.tif 000002
【図２】
0004698805.tif 000003
【図３】
0004698805.tif 000004
【図４】
0004698805.tif 000005
【図５】
0004698805.tif 000006
【図６】
0004698805.tif 000007
【図７】
0004698805.tif 000008
【図８】
0004698805.tif 000009
【図９】
0004698805.tif 000010
【図１０】
0004698805.tif 000011